(57)【要約】【課題】手書き文字等をタイムリーに広告に用いることができる広告表示装置などを提供する。【解決手段】記入用紙４には、広告用画像を特定する背景画像設定エリア４２や、広告用画像に重ねて表示する文字を記入する記入エリア４１、広告用画像を表示する時間的条件を設定する表示条件設定エリア４６，４７などがドットパターンとともに印刷されている。電子ペン１で各エリアのコード化パターンを読ませることにより、記入エリア４１に記入した文字を重ねた広告用画像を、表示条件設定エリア４６，４７で設定した表示条件で広告表示装置５に表示させることができる。【選択図】図１
2014021689.tif 000002
【特許請求の範囲】
【請求項１】
広告用の画像を識別する情報と、当該画像上に手書きストロークを描画するための情報と、当該画像を表示する時間的条件を示す情報とを受信する受信手段と、
前記受信手段により受信した情報に基づいて、手書きストロークが重ねて描画された広告用の画像を、当該時間的条件に応じて表示手段に表示するよう設定する処理手段と
を備えることを特徴とする広告表示装置。
【請求項２】
前記受信手段は、描画する手書きストロークの線の太さ又は色を特定するための情報を受信し、
前記処理手段は、当該情報の線の太さ又は色により、手書きストロークを描画することを特徴とする請求項１に記載の広告表示装置。
【請求項３】
前記受信手段は、描画する手書きストロークの表示効果を特定するための情報を受信し、
前記処理手段は、当該情報の表示効果に応じて手書きストロークを前記表示手段に表示するよう設定することを特徴とする請求項１又は２に記載の広告表示装置。
【請求項４】
前記受信手段は、ＡＲ（Augmented Reality）効果を特定するための情報を受信し、
前記処理手段は、当該ＡＲ効果に応じたコードを前記表示手段に表示するよう設定することを特徴とする請求項１〜３のうちいずれか一項に記載の広告表示装置。
【請求項５】
前記受信手段は、ＡＲ効果の基点を示す位置情報を受信し、
前記処理手段は、前記表示手段の画面上の基点に対応する位置に当該ＡＲ効果に応じたコードを表示するよう設定することを特徴とする請求項４に記載の広告表示装置。
【請求項６】
請求項１〜５のうちいずれか一項に記載の広告表示装置と、
コード化パターンを読み取り記入情報を生成し、広告表示装置へ送信する電子ペンと、
コード化パターンが印刷された、手書きストロークを記入するための記入エリアを有する記入媒体と
を備えることを特徴とする広告表示システム。
【請求項７】
前記記入媒体には、さらに、
コード化パターンが印刷された、広告用の画像を特定するための画像特定エリアが形成されていることを特徴とする請求項６に記載の広告表示システム。
【請求項８】
前記記入媒体の前記記入エリアには、広告用の画像が印刷されており、前記記入エリアに印刷されたコード化パターンにより、当該広告用の画像が特定可能であることを特徴とする請求項６に記載の広告表示システム。
【請求項９】
前記記入媒体には、さらに、
コード化パターンが印刷された、広告用の画像を表示する時間的条件を設定するための表示条件設定エリアが形成されていることを特徴とする請求項６〜８のうちいずれか一項に記載の広告表示システム。
【請求項１０】
前記記入媒体には、さらに、
コード化パターンが印刷された、手書きストロークの表示効果を設定するための表示効果設定エリアが形成されていることを特徴とする請求項６〜９のうちいずれか一項に記載の広告表示システム。
【請求項１１】
前記記入媒体には、さらに、
コード化パターンが印刷された、ＡＲ効果を設定するためのＡＲ効果設定エリアが形成されていることを特徴とする請求項６〜１０のうちいずれか一項に記載の広告表示システム。
【請求項１２】
請求項１〜５のうちいずれか一項に記載の広告表示装置は、広告表示に関する情報をサーバから受信し、他の広告表示装置と同様の条件で、広告表示を行うことを特徴とする広告表示システム。
【請求項１３】
前記表示手段は、ディスプレイに、前記受信手段としてのタッチパネルを備えることを特徴とする請求項１〜５のうちいずれか一項に記載の広告表示装置。
【請求項１４】
請求項１〜１３のうちいずれか一項に記載の広告表示装置として機能させることを特徴とするプログラム。
【請求項１５】
広告用の画像表示を設定するための記入媒体を印刷するためのコンピュータであって、
広告用の画像ごとに画像ＩＤを付す表示背景画像設定手段と、
広告用の画像上に手書きストロークを描画させるための記入エリアと、当該記入エリアに記入された手書きストロークを重ねて描画させる背景となる広告用画像を選択するための画像ＩＤに関連付けられた画像特定エリアとに、コード化パターンを割り当てるドットパターン割当手段と、
前記ドットパターン割当手段に割り当てられたコード化パターンを記入エリアと画像特定エリアともに、記入媒体として印刷するよう指示する印刷指示手段と
を備えることを特徴とするコンピュータ。
【請求項１６】
広告用の画像表示を設定するための記入媒体を印刷するためのコンピュータであって、
広告用の画像上に手書きストロークを描画させるための記入エリアに、当該広告用の画像用のコード化パターンを割り当てるドットパターン割当手段と、
前記記入エリアに、前記ドットパターン割当手段に割り当てられたコード化パターンと、前記広告用の画像とを重ねて、記入媒体として印刷するよう指示する印刷指示手段と
を備えることを特徴とするコンピュータ。
【請求項１７】
前記ドットパターン割当手段は、広告用の画像を表示する時間的条件を設定するための表示条件設定エリアに、コード化パターンを割り当て、
前記印刷指示手段は、前記記入媒体の表示条件設定エリアに、前記ドットパターン割当手段によって割り当てられたコード化パターンを重ねて印刷するよう指示する
ことを特徴とする請求項１５または１６に記載のコンピュータ。
【請求項１８】
前記ドットパターン割当手段は、手書きストロークの表示効果を設定するための表示効果設定エリアに、コード化パターンを割り当て、
前記印刷指示手段は、前記記入媒体の表示効果設定エリアに、前記ドットパターン割当手段によって割り当てられたコード化パターンを重ねて印刷するよう指示する
ことを特徴とする請求項１５〜１７のうちいずれか一項に記載のコンピュータ。
【請求項１９】
前記ドットパターン割当手段は、ＡＲ効果を設定するためのＡＲ効果設定エリアに、コード化パターンを割り当て、
前記印刷指示手段は、前記ＡＲ効果設定エリアに、前記ドットパターン割当手段によって割り当てられたコード化パターンを重ねて印刷するよう指示する
ことを特徴とする請求項１５〜１８のうちいずれか一項に記載のコンピュータ。
【請求項２０】
請求項１５〜１９のうちいずれか一項に記載のコンピュータとして機能させることを特徴とするプログラム。
【請求項２１】
ＡＲ（Augmented Reality）効果の基点を示す位置情報を受信する受信手段と、
表示手段の画面上の基点に対応する位置に当該ＡＲ効果に応じたコードを表示させる処理手段と
を備えることを特徴とするコンピュータ。
【請求項２２】
コード化パターンを読み取り記入情報を生成して送信する電子ペンと、
コード化パターンが印刷された、ＡＲ効果を設定するためのＡＲ効果設定エリアおよびＡＲ（Augmented Reality）効果の基点を指示するための記入エリアを有する記入媒体と、
電子ペンから受信したＡＲ効果設定エリアについての記入情報と、記入エリアについての記入情報に基づいて、表示手段の画面上の基点に対応する位置に当該ＡＲ効果に応じたコードを表示させる処理手段と
を備えることを特徴とする表示システム。
【請求項２３】
請求項２１又は２２に記載のコンピュータとして機能させることを特徴とするプログラム。
【発明の詳細な説明】
【技術分野】
【０００１】
本発明は、広告を表示する広告表示装置、およびそれを利用したシステム等に関する。
【背景技術】
【０００２】
従来、飲食店や小売店舗の店頭に黒板をスタンドに立てて、おすすめメニューや人気商品などをチョークやサインペンで手書きし、通行人や客へＰＲする手法がよく行われている。近年では、通行人や客へメニューや商品をより目立たせてＰＲするため、店頭に置く黒板の代わりにあるいはその一部としてディスプレイをデジタルサイネージとして用い、ディスプレイに静止画像等を再生表示させることも行われている（例えば、特許文献１）。また、ネオンサインを点滅させるにあたって、点滅の時系列データの入力、変更を簡便にするシステムも提案されている（例えば、特許文献２）。また、ディスプレイに表示する広告宣伝情報の組み合わせを時間帯に変化させる装置も提案されている（例えば、特許文献３）。
【０００３】
一方、記入した情報を電子化する電子ペンが開発されており、その代表的なものとしてスウェーデンのＡｎｏｔｏ社が開発した「アノトペン（Ａｎｏｔｏ  ｐｅｎ）」が知られている。例えば、特許文献４に記載されているように、アノトペンは、用紙に印刷された所定のドットパターンを読み取って記入情報を生成し、当該記入情報を端末装置に送信する。また、特許文献５には、ドットパターンに対向する電子ペンの角度に起因するドットの画像上の配列を補正する回転補正処理機能が記載されている。
【先行技術文献】
【特許文献】
【０００４】
【特許文献１】特開２０１０−２８２８号公報
【特許文献２】特開平７−３３４１３２号公報
【特許文献３】登録実用新案第３０８３８４０号公報
【特許文献４】特許第３８７２４９８号公報
【特許文献５】特表２００３−５２９８５３号公報
【発明の概要】
【発明が解決しようとする課題】
【０００５】
これまでのデジタルサイネージとしての広告表示装置は、広告画像を、あらかじめ指定した順序で表示するものが多く、店舗スタッフ等のユーザーが任意に内容を変更することは難しかった。そのため、スーパーのチラシや雑貨屋のPOPのように、その日・その時間に合わせた広告をタイムリーに追加して表示したいというニーズに対応できていなかった。また、表示する広告画像は、予め制作された広告画像が中心で、各店舗オリジナルの手書き広告を作成することも難しかった。
【０００６】
そこで、本発明は、簡易に、手書き文字等をタイムリーに広告に用いることができる広告表示装置、それを用いたシステム、およびそのプログラムなどを提供することを目的とする。
【課題を解決するための手段】
【０００７】
本発明に係る広告表示装置は、
広告用の画像を識別する情報と、当該画像上に手書きストロークを描画するための情報と、当該画像を表示する時間的条件を示す情報とを受信する受信手段と、
前記受信手段により受信した情報に基づいて、手書きストロークが重ねて描画された広告用の画像を、当該時間的条件に応じて表示手段に表示するよう設定する処理手段と
を備えることを特徴とする。
【０００８】
この構成により、受信手段が、広告用の画像を識別する情報と、当該画像上に手書きストロークを描画するための情報と、当該画像を表示する時間的条件を示す情報とを受信し、処理手段が、受信手段により受信した情報に基づいて、手書きストロークが重ねて描画された広告用の画像を、当該時間的条件に応じて表示手段に表示するよう設定する。このことで、広告用の画像とともに、文字などを構成する手書きストロークをタイムリーに広告に用いることができる。
【０００９】
上記広告表示装置においては、
前記受信手段は、描画する手書きストロークの線の太さ又は色を特定するための情報を受信し、
前記処理手段は、当該情報の線の太さ又は色により、手書きストロークを描画するよう構成するとよい。
これにより、手書きストロークの線の太さ又は色にバリエーションを加え、広告効果をあげることができる。
【００１０】
また、上記広告表示装置においては、
前記受信手段は、描画する手書きストロークの表示効果を特定するための情報を受信し、
前記処理手段は、当該情報の表示効果に応じて手書きストロークを前記表示手段に表示するよう設定するようにするとよい。
これにより、手書きストロークの表示効果で、広告効果をあげることができる。
【００１１】
さらに、上記広告表示装置においては、
前記受信手段は、ＡＲ（Augmented Reality）効果を特定するための情報を受信し、
前記処理手段は、当該ＡＲ効果に応じたコードを前記表示手段に表示するよう設定する構成としてもよい。
これにより、ＡＲ効果で広告効果をあげることができる。
【００１２】
上記広告表示装置においては、
前記受信手段は、ＡＲ（Augmented Reality）効果の基点を示す位置情報を受信し、
前記処理手段は、前記表示手段の画面上の基点に対応する位置に当該ＡＲ効果に応じたコードを表示するよう設定するとよい。
このようにすることで、任意の位置をＡＲ効果の基点として決めて受信手段に受信させることにより、表示手段の画面上における任意の位置を当該ＡＲ効果の基点とすることができ便宜である。
【００１３】
また、本発明に係る広告表示システムは、
上記広告表示装置と、
コード化パターンを読み取り記入情報を生成し、広告表示装置へ送信する電子ペンと、
コード化パターンが印刷された、手書きストロークを記入するための記入エリアを有する記入媒体と
を備えることを特徴とする。
【００１４】
上記広告表示システムによれば、記入媒体の記入エリアに電子ペンで記入すれば、電子ペンで生成された記入情報が広告表示装置へ送信され、広告表示装置において、電子ペンによる手書きストロークが、広告用の画像に重ねて描画されるよう設定することができる。
【００１５】
上記広告表示システムにおいて、
前記記入媒体には、さらに、
コード化パターンが印刷された、広告用の画像を特定するための画像特定エリアが形成されているよう構成するとよい。
これにより、電子ペンによる画像特定エリアへの指示により、広告用の画像を特定することができる。
【００１６】
あるいは、上記広告表示システムにおいて、
前記記入媒体の前記記入エリアには、広告用の画像が印刷されており、前記記入エリアに印刷されたコード化パターンにより、当該広告用の画像が特定可能であるよう構成するとよい。
これにより、広告用の画像に対する手書きストロークの相対的位置関係を認識しつつ、記入エリアにストロークを電子ペンで記入することができる。
【００１７】
また、上記広告表示システムにおいて、
前記記入媒体には、さらに、
コード化パターンが印刷された、広告用の画像を表示する時間的条件を設定するための表示条件設定エリアが形成されているとよい。
これにより、電子ペンによる表示条件設定エリアへの指示により、広告用の画像を表示する時間的条件を設定することができる。
【００１８】
また、上記広告表示システムにおいて、
前記記入媒体には、さらに、
コード化パターンが印刷された、手書きストロークの表示効果を設定するための表示効果設定エリアが形成されているとよい。
これにより、電子ペンによる表示効果設定エリアへの指示により、手書きストロークの表示効果を設定することができる。
【００１９】
また、上記広告表示システムにおいて、
前記記入媒体には、さらに、
コード化パターンが印刷された、ＡＲ効果を設定するためのＡＲ効果設定エリアが形成されているとい。
これにより、電子ペンによるＡＲ効果設定エリアへの指示により、ＡＲ効果を設定することができる。
【００２０】
また、上記広告表示装置は、広告表示に関する情報をサーバから受信し、他の広告表示装置と同様の条件で、広告表示を行う広告表示システムを構成するとよい。これにより、複数の広告表示装置において、同様の条件での広告表示を行わせることができる。
【００２１】
あるいは、上記広告表示装置において、
前記表示手段は、ディスプレイに、前記受信手段としてのタッチパネルを備えているとよい。
これにより、ユーザによるタッチパネルへの操作により、広告用の画像を識別する情報、当該画像上に手書きストロークを描画するための情報、および当該画像を表示する時間的条件を示す情報を受信することができ、タッチパネルディスプレイ上で広告表示に関する設定をすることができる。
【００２２】
また、本発明に係る、広告用の画像表示を設定するための記入媒体を印刷するためのコンピュータは、
広告用の画像ごとに画像ＩＤを付す表示背景画像設定手段と、
広告用の画像上に手書きストロークを描画させるための記入エリアと、当該記入エリアに記入された手書きストロークを重ねて描画させる背景となる広告用画像を選択するための画像ＩＤに関連付けられた画像特定エリアとに、コード化パターンを割り当てるドットパターン割当手段と、
前記ドットパターン割当手段に割り当てられたコード化パターンを記入エリアと画像特定エリアともに、記入媒体として印刷するよう指示する印刷指示手段と
を備えることを特徴とする。
【００２３】
この構成により、表示画像設定手段は、広告用の画像ごとに画像ＩＤを付し、ドットパターン割当手段は、広告用の画像上に手書きストロークを描画させるための記入エリアと、当該記入エリアに記入された手書きストロークを重ねて描画させる背景となる広告用画像を選択するための画像ＩＤに関連付けられた画像特定エリアとに、コード化パターンを割り当て、印刷指示手段は、ドットパターン割当手段に割り当てられたコード化パターンを記入エリアと画像特定エリアともに、記入媒体として印刷するよう指示する。
したがって、例えば電子ペンで、記入媒体における記入エリアに記入することで、広告用の画像上に手書きストロークを生成することができ、画像特定エリアを指示することにより、広告用画像を選択することができる。
【００２４】
また、本発明に係る、広告用の画像表示を設定するための記入媒体を印刷するためのコンピュータは、
広告用の画像上に手書きストロークを描画させるための記入エリアに、当該広告用の画像用のコード化パターンを割り当てるドットパターン割当手段と、
前記記入エリアに、前記ドットパターン割当手段に割り当てられたコード化パターンと、前記広告用の画像とを重ねて、記入媒体として印刷するよう指示する印刷指示手段と
を備えることを特徴とする。
【００２５】
これにより、ドットパターン割当手段は、広告用の画像上に手書きストロークを描画させるための記入エリアに、当該広告用の画像用のコード化パターンを割り当て、印刷指示手段は、記入エリアに、ドットパターン割当手段に割り当てられたコード化パターンと、広告用の画像とを重ねて、記入媒体として印刷するよう指示する。
したがって、例えば電子ペンで、記入媒体における記入エリアに記入することで、特定された広告用の画像用の手書きストロークを生成することができる。
【００２６】
上記コンピュータにおいて、
前記ドットパターン割当手段は、広告用の画像を表示する時間的条件を設定するための表示条件設定エリアに、コード化パターンを割り当て、
前記印刷指示手段は、前記記入媒体の表示条件設定エリアに、前記ドットパターン割当手段によって割り当てられたコード化パターンを重ねて印刷するよう指示するよう構成するとよい。
これにより、例えば電子ペンによる記入媒体における表示条件設定エリアへの指示により、広告用の画像を表示する時間的条件を設定することができる。
【００２７】
また、上記コンピュータにおいて、
前記ドットパターン割当手段は、手書きストロークの表示効果を設定するための表示効果設定エリアに、コード化パターンを割り当て、
前記印刷指示手段は、前記記入媒体の表示効果設定エリアに、前記ドットパターン割当手段によって割り当てられたコード化パターンを重ねて印刷するよう指示するよう構成するとよい。
これにより、例えば電子ペンによる記入媒体における表示効果設定エリアへの指示により、手書きストロークの表示効果を設定することができる。
【００２８】
また、上記コンピュータにおいて、
前記ドットパターン割当手段は、ＡＲ効果を設定するためのＡＲ効果設定エリアに、コード化パターンを割り当て、
前記印刷指示手段は、前記ＡＲ効果設定エリアに、前記ドットパターン割当手段によって割り当てられたコード化パターンを重ねて印刷するよう指示するよう構成するとよい。
これにより、例えば電子ペンによる記入媒体におけるＡＲ効果設定エリアへの指示により、ＡＲ効果を設定することができる。
【００２９】
また、本発明に係るコンピュータは、
ＡＲ（Augmented Reality）効果の基点を示す位置情報を受信する受信手段と、
表示手段の画面上の基点に対応する位置に当該ＡＲ効果に応じたコードを表示させる処理手段と
を備えることを特徴とする。
【００３０】
これによれば、受信手段は、ＡＲ効果の基点を示す位置情報を受信し、処理手段は、表示手段の画面上の基点に対応する位置に当該ＡＲ効果に応じたコードを表示させる。
したがって、任意の位置をＡＲ効果の基点として決めて受信手段に受信させることにより、表示手段の画面上における任意の位置を当該ＡＲ効果の基点とすることができ便宜である。
【００３１】
また、本発明に係る表示システムは、
コード化パターンを読み取り記入情報を生成して送信する電子ペンと、
コード化パターンが印刷された、ＡＲ効果を設定するためのＡＲ効果設定エリアおよびＡＲ（Augmented Reality）効果の基点を指示するための記入エリアを有する記入媒体と、
電子ペンから受信したＡＲ効果設定エリアについての記入情報と、記入エリアについての記入情報に基づいて、表示手段の画面上の基点に対応する位置に当該ＡＲ効果に応じたコードを表示させる処理手段と
を備えることを特徴とする。
【００３２】
これによれば、電子ペンで記入媒体のＡＲ効果設定エリアを指示し、記入エリアの任意の位置を基点として指示することで、表示手段の画面上の基点に対応する位置に当該ＡＲ効果に応じたコードを表示させることができる。
【００３３】
また、本発明に係る各プログラムは、上記広告表示装置ないし上記コンピュータを構成させることができる。
【発明の効果】
【００３４】
本発明によれば、簡易に、手書き文字等をタイムリーに広告に用いることができる。
【図面の簡単な説明】
【００３５】
【図１】本実施形態に係る広告表示システムの構成図である。
【図２】ドットパターンにおけるドットの配置と変換される値との関係を示す説明図である。
【図３】（ａ）は、ドットパターンを模式的に示し、（ｂ）は、それに対応する情報の例を示す図である。
【図４】電子ペンの構造を示す概略図である。
【図５】パーソナルコンピュータの機能ブロック図である。
【図６】広告表示装置の機能ブロック図である。
【図７】（Ａ）は、記入用紙の一例を示す図であり、（Ｂ）は、電子ペンで記入用紙に記入する様子を示す図である。
【図８】（Ａ）は、記入用紙の一例を示す図であり、（Ｂ）は、記入用紙の他の例を示す図である。
【図９】記入用紙の機能エリアについての他の例を示す図である。
【図１０】広告表示装置における、記入用紙への記入に基づく広告の表示条件設定の処理フローである。
【発明を実施するための形態】
【００３６】
以下、図面を参照しながら、本発明を実施するのに好適な実施形態について説明する。
【００３７】
［広告表示システムの構成］
広告表示システムは、手書くことによって記入情報を生成する電子ペン１と、広告用の画像を設定するためのパーソナルコンピュータ２と、電子ペン１で広告用に手書くための記入用紙４をドットパターン（コード化パターン）とともに印刷するためのプリンター３とを備える。
さらに、広告表示システムは、各スタンド６Ａ，６Ｂ，６Ｄに取り付けられて店頭や店舗内に配置される広告表示装置５Ａ，５Ｂ，５Ｃ，…（５）とサーバ８とを備える。
そして、広告表示装置５Ａは、電子ペン１から記入情報を受信し、記入用紙４へ電子ペン１により記入した手書きストロークを、記入用紙４上で設定した広告表示条件に沿って表示する。また、広告表示装置５Ａは、手書きストロークに関する情報や広告表示条件をサーバ８へ送信し、サーバ８は、それらの情報や条件を他の広告表示装置５Ｂ，５Ｃ，…に送信し、広告表示装置５Ａと同様に広告を表示させるようにする。
【００３８】
ここで、本実施形態では、電子ペン１および記入用紙４に印刷されるドットパターンは、アノト方式のものを用いるが、特にこの方式に限らなくともよい。
以下、各構成について詳細に説明する。
【００３９】
〔ドットパターン〕
記入用紙４に印刷されるアノト方式のドットパターン（コード化パターン）について図２及び図３を用いて説明する。図２は、記入用紙４に印刷されるドットパターンのドットとそのドットが変換される値との関係を説明する図である。図２に示すように、ドットパターンの各ドットは、その位置によって所定の値に対応付けられている。すなわち、ドットの位置を仮想格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、記入用紙４上の位置座標が決定されるよう構成されている。
【００４０】
図３（ａ）は、あるドットパターンの配列を示している。図３（ａ）に示すように、縦横約２ｍｍの範囲内に６×６個のドットが、記入用紙４上のどの部分から６×６ドットを取ってもユニークなパターンとなるように配置されている。これら３６個のドットにより形成されるドットパターンは位置座標（例えば、そのドットパターンが記入用紙４上のどの位置にあるのか）を保持している。図３（ｂ）は、図３（ａ）に示す各ドットを、格子の基準位置からのシフト方向によって、図２に示す規則性に基づいて対応づけられた値変換したものである。この変換は、ドットパターンの画像を撮影する電子ペン１によって行われる。
【００４１】
〔電子ペン〕
次に、電子ペン１について図４を用いて説明する。図４は、電子ペン１の構造を示す概略図である。図４に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１、バッテリー１１２、クレードル６を介して外部機器と接続するための端子１１３を備える。インクカートリッジ１０４の先端は、ペン先部１０３となっており、ユーザは、電子ペン１のペン先部１０３を記入用紙４に当接させて、ストローク（手書きストローク）を記入する。ここで、電子ペン１のペン先部１０３が記入用紙４に接触することをペンダウンと呼び、接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。
【００４２】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１により記入用紙４に文字やマークを書いたりタップしたりする際にペン先部１０３からインクカートリッジ１０４を通じて与えられる圧力、即ち筆圧を検出し、その値をプロセッサ１０８へ伝送する。
【００４３】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１で記入用紙４に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、ユーザが１つのストロークを記入し終えて電子ペン１を記入用紙４から離すと、圧力センサ１０７は、所定値以上の筆圧が検出されなくなることでペンアップを検出する。すると、プロセッサ１０８は、ペンダウンからペンアップまでの間に生成したストロークデータ（後述する座標属性情報）とペンＩＤとを関連付けて、記入情報としてメモリ１０９に記憶させる。
【００４４】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、記入用紙４上のペン先部１０３近傍に向けて赤外線を照明する。その領域は、ペン先部１０３が記入用紙４に接触する位置とはわずかにずれている。ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。したがって、記入用紙４に記入欄や絵柄などを、赤外域に吸収性を持たないインクで印刷すれば、記入欄や絵柄が重ねて印刷されていても、プロセッサ１０８は、赤外域に吸収性を有するドットパターンを認識することができる。なお、ＣＭＯＳカメラ１０６による撮影領域は、図３（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００４５】
プロセッサ１０８は、ユーザの記入が行われる間、ＣＭＯＳカメラ１０６によって供給される画像データのドットパターンから、ユーザが記入するストローク（筆跡）の記入用紙４上におけるＸ、Ｙ座標（以後、単に「座標値」または「座標情報」とも呼ぶ。）を連続的に演算していく。すなわち、プロセッサ１０８は、ＣＭＯＳカメラ１０６によって供給される、図３（ａ）に示されるようなドットパターンの画像データを図３（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えている。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、記入用紙４上における６×６のドットパターンは、その中で重複することはないため、ユーザが電子ペン１で文字等を記入すると、記入された位置が記入用紙４のどの位置に当たるかを、プロセッサ１０８による座標演算により特定することができる。
【００４６】
メモリ１０９には、電子ペン１を識別するための「ｐｅｎ０１」といったペンＩＤ、ペン製造者番号、ペンソフトウェアのバージョン等のプロパティ情報が記憶されている。また、メモリ１０９は、ペンＩＤと、時刻情報（タイムスタンプ）と、筆圧データと、Ｘ、Ｙ座標データとを関連付けて、記入情報として記憶する。
【００４７】
プロセッサ１０８は、送信用（送信エリア）に設定された座標範囲のドットパターンを読み取ると、その時までにメモリ１０９に記憶していた記入情報を読み出し、通信ユニット１１１に対して、読み出した記入情報を無線送信させる。プロセッサ１０８は、記入情報の送信完了後、メモリ１０９から送信した記入情報を削除する。
【００４８】
〔コンピュータ２〕
次に、パーソナルコンピュータ２について説明する。
図５は、コンピュータ２の機能ブロック図を示す。
コンピュータ２は、ハードウェアとして、マウスやキーボード、ＵＳＢポートなどのインターフェイス、ＣＰＵ等のプロセッサ、ＲＯＭやＲＡＭといったメモリやハードディスク、ディスプレイなどで構成される。
また、コンピュータ２は、機能的には、入力手段２１、インターフェイス２２、処理手段２４、記憶手段２５、表示手段２６、送信手段２７などで構成される。
【００４９】
入力手段２１は、文字を入力するためのキーボードや、アイコンやメニューなどを選択するためのマウスおよびそれらの操作を受けて処理手段２４に信号を送信する手段などにより構成される。
インターフェイス２２は、ＵＳＢポートなどにより構成され、ＵＳＢが差し込まれた状態で、ＵＳＢへ情報を送信する機能などを有する。
記憶手段２５は、ＲＯＭやＲＡＭといったメモリやハードディスクから構成され、ＯＳやアプリケーションを記憶し、アプリケーション上で生成したデータ等を記憶する。
送信手段２７は、プリンター３に接続され、処理手段２４からの指示により、プリンター３に印刷させるために必要な情報をプリンター３へ送信する。
【００５０】
処理手段２４は、表示画像設定手段２４１と、ドットパターン割当手段２４２と、印刷指示手段２４３とを備える。表示画像設定手段２４１、ドットパターン割当手段２４２、および印刷指示手段２４３は、広告表示装置５に表示させる広告を設定するためのアプリケーションに機能付けられている。
【００５１】
表示画像設定手段２４１は、ユーザ（店舗のスタッフなど）による入力手段２１の操作により、広告表示装置５に表示させる広告用の画像の選択を受け付けて、選択された画像を広告表示装置５に表示させるデータを生成する。ここで、表示画像設定手段２４１は、ムービーファイルなどの動画を受け付けることもでき、静止画を受け付けることもできる。表示画像設定手段２４１は、複数の動画や静止画を受け付けた場合には、ユーザによる入力手段２１の操作により、広告表示装置５で表示させる順序や時間帯を設定することもできる。さらに表示画像設定手段２４１は、複数ページの静止画で構成されるメニュー（食事用のランチメニュー、ディナーコースメニューなど）を受け付けることもできる。
【００５２】
電子ペン１で記入用紙４に手書いたストロークを重ねて表示させる画像を広告表示装置５に認識させるため、表示画像設定手段２４１は、選択された画像を広告表示装置５に表示させるデータを生成する際に、画像ごとに画像ＩＤを生成してデータに付す。
複数ページの静止画で構成されるメニューを広告表示装置５にページごとに表示させる場合には、表示画像設定手段２４１は、メニューを構成するページごとに画像ＩＤを付す。
また、表示画像設定手段２４１は、ドットパターン割当手段２４２によって割り当てられたドットパターンの座標範囲と記入エリアや、ドットパターンの座標範囲と各機能エリアの対応関係をデータに付す。
そして、表示画像設定手段２４１は、インターフェイス２２のＵＳＢポートに接続されたＵＳＢメモリに、生成したデータを送信して、ＵＳＢメモリに記憶させる。
【００５３】
ドットパターン割当手段２４２は、印刷指示を受けて記入用紙４を印刷する際に、記入用紙４に印刷するドットパターンを、座標範囲を特定して、割り当てる。すなわち、ドットパターン割当手段２４２は、少なくとも記入用紙４の記入エリア４１や各種機能エリア４２〜４９（図７〜図９参照）に、座標範囲を特定してその座標範囲のドットパターンを割り当てる。
ここで、ドットパターン割当手段２４２は、記入エリア４１に対しては、記入用紙４ごとに、異なる座標範囲のドットパターンを割り当てる。
なお、ドットパターン割当手段２４２によって、結果的に、記入エリア４１に対して、ドットパターンが割り当てられるようすればよいため、記入用紙４に対してドットパターンを割り当てたうえで、記入エリア４１として用いる座標範囲を指定するようにしてもよい。このとき、ユーザの操作によって座標範囲を指定するようにしてもよい。
【００５４】
また、記入エリア４１に広告用の画像を印刷しない場合には、ドットパターン割当手段２４２は、背景画像設定エリア４２に、画像ＩＤに対応して設けられた「１」「２」「３」「４」「５」と枠囲いされた各エリアに、画像ＩＤが特定できるよう、互いに異なる座標範囲のドットパターンを割り当てる。なお、この場合、表示画像設定手段２４１は、背景画像設定エリア４２の各エリアに対応する画像ＩＤとドットパターンの座標範囲との対応関係を、ＵＳＢメモリに記憶させるデータに付け加える。
この場合も、ドットパターン割当手段２４２によって、結果的に、背景画像設定エリア４２に対して、ドットパターンが割り当てられるようすればよいため、記入用紙４に対してドットパターンを割り当てたうえで、背景画像設定エリア４２の各エリアとして用いる座標範囲を各々について指定するようにしてもよい。このとき、ユーザの操作によって座標範囲を指定するようにしてもよい。
記入エリア４１に広告用の画像を印刷する場合には、ドットパターン割当手段２４２は、背景画像設定エリア４２を記入用紙４に設けないが、表示画像設定手段２４１は、記入エリア４１に印刷された画像の画像ＩＤと記入エリア４１に割当てて印刷するドットパターンの座標範囲との対応関係を、ＵＳＢメモリに記憶させるデータに付け加えることとなる。
【００５５】
また、ドットパターン割当手段２４２は、広告表示装置５に描画するストロークの線の太さを段階的に特定する各エリア（細・中・太など）４３、描画するストロークの色を特定する各エリア（黒・赤・黄・緑・青など）４４、描画するストロークの表示効果を特定する各エリア（点滅・ズームイン・スパイラルなど）４５、広告用の画像を表示する時間帯を特定する各エリア（７時〜２３時）４６、広告用の画像を表示する時間間隔（５分ごと・１０分ごと・１５分ごと・３０分ごと）４７、ＡＲ（Augmented Reality：拡張現実）の効果を特定するための各エリア（ケーキ・花火・動物など）４９、電子ペン１にメモリ１０９に記憶していた記入情報を送信させるための送信エリア４８などの各種機能エリアに対しても、互いに異なる座標範囲のドットパターンを割り当てる。表示画像設定手段２４１は、各種機能エリアに印刷された機能ＩＤと機能エリアに割当てて印刷するドットパターンの座標範囲との対応関係を、ＵＳＢメモリに記憶させるデータに付け加える。
なお、ドットパターン割当手段２４２は、異なる記入用紙４の同じ機能エリアに関して、互いに異なる座標範囲のドットパターンを割り当ててもよく、あるいは、同じ座標範囲のドットパターンを割り当ててもよい。
この場合も、ドットパターン割当手段２４２によって、結果的に、各種機能エリアに対して、ドットパターンが割り当てられるようすればよいため、記入用紙４に対してドットパターンを割り当てたうえで、各種の機能エリアとして用いる座標範囲を指定するようにしてもよい。このとき、ユーザの操作によって座標範囲を指定するようにしてもよい。
【００５６】
印刷指示手段２４３は、記入エリア４１や各種機能エリア４２〜４９の文字や枠、絵柄等に、ドットパターン割当手段２４２により各エリアに割り当てられたドットパターンを重ねて、記入用紙４を印刷するよう、送信手段２７を介して、プリンター３へ指示する。このとき、印刷指示手段２４３は、ユーザによる入力手段２１の操作により、記入エリア４１に広告用の画像を印刷する指示を受けた場合には、記入エリア４１に指定された広告用の画像を印刷するようプリンター３へ指示する。
なお、印刷指示手段２４３は、電子ペン１がドットパターンを読み取れるように、ドットパターンを、赤外域に吸収特性を有するインク（カーボン含有インクなど）を用いて印刷するよう指示する一方、電子ペン１が誤認識しないようドットパターン以外の記入エリア４１や各種機能エリア４２〜４９の文字や枠、絵柄等を、赤外域に吸収特性を有しないインクを用いて印刷するよう指示する。
【００５７】
〔記入用紙〕
次に、コンピュータ２の指示によりプリンター３によって印刷される記入用紙４について説明する。
図７（Ａ）は、記入エリア４１に広告用の画像を印刷しないでプリンター３により印刷された記入用紙４Ａを示す。記入エリア４１には、広告用の画像が印刷されていないが、記入位置の目安のため、縦方向と横方向に中心線が破線で印刷され、さらに、固有の座標範囲のドットパターンが印刷されている。記入エリア４１の大きさ、形状は、広告用の画像の印刷物と同じ大きさ、形状であることが望ましい。
また、背景画像設定エリア４２に、画像ＩＤに対応して設けられた「１」「２」「３」「４」「５」と枠囲いされた各エリア（画像特定エリア）が印刷され、さらに、各エリアには、各画像ＩＤに対応した座標範囲のドットパターンが印刷されている。
その他の各機能エリア４３〜４８の文字や枠などが印刷され、各エリアには、各機能ＩＤに対応した座標範囲のドットパターンが印刷されている。
【００５８】
図７（Ｂ）は、記入用紙４Ａに電子ペン１で記入している様子を示す図である。
図７（Ｂ）に示すように、記入エリア４１の大きさ、形状が、広告用の画像の印刷物９と同じ大きさ、形状である場合には、記入エリア４１に下から広告用の画像の印刷物９を当てがい、記入エリア４１の上から電子ペン１で記入するようすると、広告用の画像に合わせて、ストロークを手書いて、広告表示装置５に表示させることができる。
なお、この場合、記入エリア４１の下に当てた広告用画像の画像ＩＤに対応する背景画像設定エリア４２のエリアを電子ペン１でタップして、広告表示装置５に背景画像となる広告用画像を認識させることとなる。
【００５９】
図８（Ａ）は、プリンター３により、記入エリア４１に広告用の画像が印刷された記入用紙４Ｂを示す。
図８（Ａ）に示すように、記入エリア４１に広告用の画像が印刷されている場合には、記入用紙４Ｂに対応する広告用画像は特定されているため、背景画像設定エリア４２は印刷されない。
記入用紙４Ｂの記入エリア４１には、店舗内に陳列されている商品をお買得品としてＰＲするために、上部に「お買得品」と印刷され、中央部は自由に文字を電子ペン１で書けるように空白とされ、下部に値段を記入できるよう「円」の文字が印刷されている。
また、記入用紙４Ｂには、各機能エリア４３〜４８の文字や枠などが印刷され、各エリアには、各機能ＩＤに対応した座標範囲のドットパターンが印刷されている。
【００６０】
図８（Ｂ）は、プリンター３により、記入エリア４１に広告用の画像が印刷された他の記入用紙４Ｃの例を示す。
記入用紙４Ｃの記入エリア４１には、七夕に飾られる笹飾りの絵が印刷されている。笹飾りの絵には、短冊も描かれているので、短冊内ごとに電子ペン１で文字を記入することもできる。
図８（Ｂ）の場合も、記入エリア４１に広告用画像が印刷されているので、背景画像設定エリア４２は印刷されていない。
また、記入用紙４Ｃにも、各機能エリア４３〜４８の文字や枠などが印刷され、各エリアには、各機能ＩＤに対応した座標範囲のドットパターンが印刷されている。
【００６１】
図９は、記入用紙４の機能エリアの変形例を示す。
図７，図８に示す記入用紙４とは異なり、図９に示すように、描画するストロークの表示効果を特定する各表示効果設定エリア４５として、「点滅」の他に、「ズームイン」や「スパイラル」が印刷されている。また、ＡＲ（Augmented Reality：拡張現実）の効果を特定するための各ＡＲ効果設定エリア（ケーキ・花火・動物など）４９も印刷されている。勿論、各エリアには、機能ＩＤに対応した座標範囲のドットパターンが重ねて印刷されている。
【００６２】
〔広告表示装置〕
次に、広告表示装置５について説明する。
図６は、広告表示装置５の機能ブロック図を示す。
広告表示装置５は、ハードウェアとして、ＵＳＢポートなどのインターフェイス、リモートコントローラ（リモコン）からの信号を受信するセンサ、電子ペン１からの情報を受信するアンテナを含む受信回路、ＣＰＵ等のプロセッサ、ＲＯＭやＲＡＭといったメモリやハードディスク、ディスプレイ、プリンター（カラープリンター）７へ印刷情報を送信するインターフェイス、サーバと通信するためのインターフェイス等などで構成される。
また、広告表示装置５は、機能的には、インターフェイス５１、第１の通信手段５２、第２の通信手段（受信手段）５３、処理手段５４、記憶手段５５、表示手段５６、送信手段５７、第３の通信手段５８などで構成される。
なお、表示手段５６の構成要素であるディスプレイは、取り付けられるスタンド６の前面に配置され、ディスプレイの表示を制御する処理手段５４は、筺体内にまとめられ、ディスプレイの裏面に取り付けられている。
【００６３】
インターフェイス５１は、ＵＳＢポートを備える。コンピュータ２により生成された広告に関するデータを記憶させたＵＳＢメモリをインターフェイス５１のＵＳＢポートに接続することにより、インターフェイス５１は、ＵＳＢメモリに記憶されたデータを読み出して、処理手段５４に伝送する。
広告に関するデータには、画像ＩＤが付与された画像データや、機能ＩＤとドットパターンの座標範囲との対応関係等が含まれる。
【００６４】
第１の通信手段５２は、広告表示装置５を操作するためのリモートコントローラからの信号を受信するセンサを備える。第１の通信手段５２は、リモートコントローラから送信されてきた信号、例えば、広告表示の開始を指示する信号、広告表示の停止を指示する信号などを受信し、処理手段５４へ伝送する。
【００６５】
第２の通信手段５３は、電子ペン１と無線通信（Bluetooth（登録商標）方式などによる）を行い、電子ペン１から記入情報を受信して、処理手段５４へ伝送する。
電子ペン１からの記入情報の送信は、電子ペン１が送信エリア４８のドットパターンを読み取ったタイミングで行われ、記入情報には、記入エリア４１に電子ペン１で記入されることにより生成された座標値を含む記入情報や、各種機能エリア４２〜４９に電子ペン１でタップないしチェックされることで生成された座標値を含む記入情報などが含まれる。
【００６６】
記憶手段５５には、広告表示用のアプリケーションが記憶されている。また、記憶手段５５は、処理手段５４の指示により、インターフェイス５１から伝送された広告に関するデータを記憶する。また、記憶手段５５は、処理手段５４の指示により、第２の通信手段５３により受信した電子ペン１からの記入情報を記憶する。
【００６７】
表示手段５６は、ディスプレイを備え、処理手段５４の指示を受けて、広告用の画像を表示したり、電子ペン１により記入エリア４１に記入されたストロークを描画したり、ＡＲ効果のためのコードを表示したりする。ディスプレイとしては、液晶ディスプレイ、有機ＥＬディスプレイなど、広告画像を鮮明に表示できるディスプレイが望ましい。
【００６８】
送信手段５７は、ユーザのリモートコントローラの操作に基づき処理手段５４に指示され、表示手段５６に表示中の広告用の画像を、カラープリンター７に印刷するよう、印刷指示情報をカラープリンター７へ送信する。
【００６９】
第３の通信手段５８は、処理手段５４の指示を受けて、広告に関するデータや記入用紙４に電子ペン１で記入されたストロークや電子ペン１により指示された機能情報などを、サーバ８へ送信する。そのことで、サーバ８に、他の広告表示装置５に対して同じデータを送信させて、各広告表示装置５において、同様の広告画像などを表示させることができる。
【００７０】
続いて、処理手段５４について、広告表示装置５の利用の流れに沿って図１０を参照しつつ説明する。
なお、図１０は、広告表示装置５における、記入用紙４への記入に基づく広告の表示条件設定の処理フローである。
また、図１に示すように、電子ペン１から送信される記入情報を広告表示装置５Ａに受信させる形態で説明するが、基本的には、広告表示装置５Ａ，５Ｂ，５Ｃ，５Ｄ，…はいずれも同じ機能を有するものとする。
【００７１】
ＵＳＢメモリが広告表示装置５ＡのＵＳＢポートに接続されることで、インターフェイス５１から広告に関するデータが伝送されると、処理手段５４は、その広告に関するデータを、記憶手段５５に記憶させる。
広告に関するデータに、広告用画像について予め表示条件が設定されている場合には、処理手段５４は、リモートコントローラからの開始の信号に応じて、アプリケーションを起動させて、設定されている表示条件に応じて、一ないし複数の広告用画像を、表示手段５６に表示させる。
その表示条件に加えまたは代えて、記入用紙４への電子ペン１による記入に基づき、処理手段５４は、広告用画像の表示条件を設定する。
【００７２】
第２の通信手段５３が電子ペン１から記入情報を受信すると、処理手段５４は、記入情報を記憶手段５５に記憶させる（ステップＳ１０１）。
そして、処理手段５４は、記憶手段５５に記憶している機能ＩＤとドットパターンの座標範囲との対応関係を参照し、受信した記入情報の中に、背景画像設定エリア４２（図７参照）を示す座標値が存在するか否か判断し（ステップＳ１０２）、背景画像設定エリア４２（図７参照）を示す座標値が存在すると判断した場合（ステップＳ１０２：ＹＥＳ）には、ステップＳ１０４へ進む。
【００７３】
一方、処理手段５４は、受信した記入情報の中に、背景画像設定エリア４２（図７参照）を示す座標値が存在しないと判断した場合（ステップＳ１０２：ＮＯ）には、記憶手段５５に記憶している画像ＩＤと記入エリア４１のドットパターンの座標範囲との対応関係を参照し、記入エリア４１の座標値に対応する画像ＩＤが存在するか判断する（ステップＳ１０３）。そして、処理手段５４は、記入エリア４１の座標値に対応する画像ＩＤが存在すると判断した場合（ステップＳ１０３：ＹＥＳ）には、ステップＳ１０４へ進み、記入エリア４１の座標値に対応する画像ＩＤが存在しなかったと判断した場合（ステップＳ１０４：ＮＯ）には、ステップＳ１０５へ進む。
【００７４】
ステップＳ１０４においては、処理手段５４は、画像ＩＤを特定し、画像ＩＤに対応する広告用画像を、記入エリア４１への記入を描画する際の背景画像として認識し、ステップＳ１０５へ進む。
【００７５】
次に、処理手段５４は、受信した記入情報の中に、表示手段５６にストロークを描画する際の線の太さを段階的に特定するエリア（細・中・太など）４３の座標値を抽出し、記憶手段５５に記憶している機能ＩＤとドットパターンの座標範囲との対応関係を参照して、線の太さを識別するための機能ＩＤを特定する（ステップＳ１０５）。
続いて、処理手段５４は、受信した記入情報の中に、表示手段５６にストロークを描画する際のストロークの色を特定するエリア４４の座標値を抽出し、記憶手段５５に記憶している機能ＩＤとドットパターンの座標範囲との対応関係を参照して、線の色を識別するための機能ＩＤを特定する（ステップＳ１０６）。
【００７６】
さらに、処理手段５４は、受信した記入情報の中に、描画するストロークの表示効果を特定するエリア（点滅・ズームイン・スパイラルなど）４５の座標値を抽出し、記憶手段５５に記憶している機能ＩＤとドットパターンの座標範囲との対応関係を参照して、線の表示効果を識別するための機能ＩＤを特定する（ステップＳ１０７）。
また、処理手段５４は、受信した記入情報の中に、広告用の画像を表示する時間帯を特定する各エリア（７時〜２３時）４６の座標値を抽出し、記憶手段５５に記憶している機能ＩＤとドットパターンの座標範囲との対応関係を参照して、表示する時間帯を識別するための機能ＩＤを特定する（ステップＳ１０８）。
また、処理手段５４は、受信した記入情報の中に、広告用の画像を表示する時間間隔（５分ごと・１０分ごと・１５分ごと・３０分ごと）４７の座標値を抽出し、記憶手段５５に記憶している機能ＩＤとドットパターンの座標範囲との対応関係を参照して、表示する時間間隔を識別するための機能ＩＤを特定する（ステップＳ１０９）。
【００７７】
続いて、処理手段５４は、受信した記入情報のうち、記入エリア４１に電子ペン１で記入することで生成された記入情報を抽出し、その座標値を基に、ストロークを描画する（ステップＳ１１０）。
また、処理手段５４は、受信した記入情報の中に、ＡＲ（Augmented Reality：拡張現実）の効果を特定するための各エリア（ケーキ・花火・動物など）４９の座標値を抽出し、記憶手段５５に記憶している機能ＩＤとドットパターンの座標範囲との対応関係を参照して、ＡＲ効果を特定するための機能ＩＤを特定する（ステップＳ１１１）。
【００７８】
上述のように、画像ＩＤの特定や各機能ＩＤの特定を終えると、処理手段５４は、特定した画像ＩＤの画像における、特定した各機能ＩＤに対応した表示条件を設定する。
たとえば、処理手段５４は、広告表示の時間帯を１１時〜１３時と特定し、時間間隔を１０分ごとと特定したならば、１１時〜１３時の間に１０分間隔で所定時間、特定した広告用画像上に記入エリア４１への記入に対応したストロークを描画した画像を表示するよう設定する。
【００７９】
なお、処理手段５４は、「点滅」の表示効果として、ストロークを点滅させて表示手段５６に表示するよう設定する。
また、処理手段５４は、「ズームイン」の表示効果として、ストロークを表示する中心位置から次第に大きくなるよう表示するよう設定する。
また、処理手段５４は、「スパイラル」の表示効果として、ストロークを表示画面の外側からスパイラル（渦）を描くように移動して本来の表示位置に位置するよう表示するように設定する。
【００８０】
処理手段５４は、ＡＲ効果としてケーキの表示を特定した場合には、スマートフォンなどで表示手段５６を撮影すればケーキがポップアップするようにするための二次元コードを表示手段５６に表示するよう設定する。
処理手段５４は、ＡＲ効果として花火の表示を特定した場合には、スマートフォンなどで表示手段５６を撮影すれば花火が打ち上げられて展開する様子がポップアップするようにするための二次元コードを表示手段５６に表示するよう設定する。
処理手段５４は、ＡＲ効果として動物の表示を特定した場合には、スマートフォンなどで表示手段５６を撮影すれば、様々な動物が歩き回る様子がポップアップするようにするための二次元コードを表示手段５６に表示するよう設定する。
なお、ＡＲ効果用の二次元コードは、スマートフォンなどの撮影処理により認識できるが、ユーザからは視認しにくい表示形態であるのが望ましい。ＡＲ効果を広告表示装置５に設けることで、店舗を利用した客に、記念などのために広告表示装置５を撮影することを促し、広告効果を高めることができる。
【００８１】
また、処理手段５４は、予め表示条件が設定されている他の画像をＵＳＢメモリから受け付けている場合には、その表示条件で当該他の画像を表示手段５６に表示させつつ、記入用紙４に電子ペン１で記入することで設定された広告用画像を描画ストロークとともに、設定された時間帯、時間間隔で割り込み的に表示する。
【００８２】
なお、ステップＳ１０５〜Ｓ１１１の処理の順序は、図１０に示す順序に限られない。
また、ステップＳ１０２，１０３のいずれによっても、ＮＯ判定となり、画像ＩＤが特定されなかった場合、処理手段５４は、背景画像を設定しない。
また、ステップＳ１０５において、線の太さを特定するエリア４３のうち、いずれのエリアの座標値も抽出されなかった場合、処理手段５４は、デフォルトの太さ（例えば、中程度の太さ）を設定する。
また、ステップＳ１０６において、線の色を特定するエリア４３のうち、いずれのエリアの座標値も抽出されなかった場合、処理手段５４は、デフォルトの色（例えば、黒）を設定する。
また、ステップＳ１０７において、線の表示効果を特定するエリア４５のうち、いずれのエリアの座標値も抽出されなかった場合、処理手段５４は、デフォルトの表示効果（例えば、特定位置での継続的表示）を設定する。
【００８３】
また、ステップＳ１０８において、広告表示の時間帯を特定するエリア４６のうち、いずれのエリアの座標値も抽出されなかった場合、処理手段５４は、デフォルトの時間帯（例えば、継続的表示）を設定する。
また、ステップＳ１０９において、広告表示の時間間隔を特定するエリア４７のうち、いずれのエリアの座標値も抽出されなかった場合、処理手段５４は、デフォルトの時間間隔（例えば、継続的表示）を設定する。
また、ステップＳ１１０において、記入エリア４１に電子ペン１で記入することで生成される記入情報が抽出されなかった場合、処理手段５４は、何らストロークを描画せず、広告用画像を表示する設定をする。
また、ステップＳ１１１において、ＡＲ効果を特定するエリア４９のうち、いずれのエリアの座標値も抽出されなかった場合、処理手段５４は、特にＡＲ効果に関して設定しない。
【００８４】
〔広告表示装置とサーバの連携〕
次に、広告表示装置５とサーバ８の連携について説明する。
広告表示装置５Ａ，５Ｂ，５Ｃ，５Ｄ，…（５）は、サーバ８とＬＡＮなどのネットワークにより接続されている。
そして、一つの広告表示装置５Ａが電子ペン１から記入情報を受信し、処理手段５４がその記入情報に基づき広告の表示条件を設定すると、処理手段５４は、第３の通信手段５８により、サーバ８へ、当該表示条件や描画ストロークを表示するためのデータを、画像ＩＤが付された広告用画像とともに送信する。なお、この送信は、広告表示装置５Ａに対するユーザによるリモートコントロールの操作に基づいて、処理手段５４により行われるように構成してもよい。
【００８５】
サーバ８は、広告表示装置５Ａから、表示条件や描画ストロークを表示するためのデータ、画像ＩＤが付された広告用画像を、他の広告表示装置５Ｂ，５Ｃ，５Ｄ，…へ送信する。
各広告表示装置５Ｂ，５Ｃ，５Ｄ，…は、それらのデータを受信して、広告用画像の表示条件を設定することで、広告表示装置５Ａと同様の広告表示を実行することができる。
【００８６】
なお、広告表示装置５Ａが、予め表示条件が設定されている他の画像をＵＳＢメモリから受け付けている場合には、それらの情報も、サーバ８を介して、各広告表示装置５Ｂ，５Ｃ，５Ｄ，…へ送信させ、表示させてもよい。これにより、各広告表示装置５Ｂ，５Ｃ，５Ｄ，…は、当該他の画像を予め設定されていた表示条件で表示手段５６に表示させつつ、広告表示装置５Ａからサーバ８を経由して受信した表示条件などに基づいて、記入用紙４に電子ペン１で記入することで設定された広告用画像を描画ストロークとともに、設定された時間帯、時間間隔で割り込み的に表示することができる。
【００８７】
〔変形例〕
上記実施形態においては、ＡＲ効果の基点を記入エリア４１上で特定できるようにしてもよい。すなわち、電子ペン１で記入用紙４のＡＲ効果を特定するエリア４９のうちいずれかのエリアをタップないしチェックした後に、記入エリア４１内でタップすれば、処理手段５４が、記入エリア４１内の当該タップ位置に対応する表示手段５６の表示画面上の位置に、特定されるＡＲ効果用のコードを表示させることで、ＡＲ効果の基点を設定するようにしてもよい。
【００８８】
上記実施形態で使用される電子ペン１は、記入用紙４の送信エリア４８をタップすることで、電子ペン１のメモリ１０９に記憶していた記入情報をまとめて送信していたが、そのようなタイプの電子ペンに限られず、送信エリア４８を省略し、電子ペン１が記入用紙４のドットパターンを読み取って記入情報を生成する都度、即時に記入情報を送信するストリーミング・タイプの電子ペン１であってもよい。
あるいは、電子ペン１は、アノト方式の電子ペンに限られず、超音波でペン先を捕捉するタイプの電子ペンなど、原理の異なる電子ペンを用いてもよい。
【００８９】
また、上記実施形態では、電子ペン１を用いてストロークを入力したり表示条件を設定したりしたが、必ずしも電子ペンを用いなくともよい。たとえば、広告表示装置５の表示手段５６にタッチパネルディスプレイを備えさせ、タッチパネルディスプレイに図７（Ａ），図８，図９に示す記入用紙と同様の画面を表示させ、指やスタイラスによる記入エリアへの記入や各種機能エリアへのタッチないしタップにより、表示条件を入力し、設定させるようにしてもよい。
【００９０】
また、上記実施形態では、広告表示装置５Ａに電子ペン１からの記入情報を受信させ、表示条件を設定させ、サーバ８を介して、他の各広告表示装置５Ｂ，５Ｃ，５Ｄ，…へ表示条件などのデータを送信していたが、その代わりに、サーバ８に電子ペン１からの記入情報を受信させて表示条件を設定させ、サーバ８から各広告表示装置５Ａ，５Ｂ，５Ｃ，５Ｄ，…へ表示条件などのデータを送信させるようにしてもよい。
また、上記実施形態では、コンピュータ２からＵＳＢメモリに画像ＩＤ付の広告用画像や表示条件に関するデータを記憶させ、広告表示装置５Ａに読み込ませていたが、コンピュータ２をネットワークに接続し、画像ＩＤ付の広告用画像や表示条件に関するデータなどを、サーバ８を介して各広告表示装置５へ配信するようにしてもよい。
【符号の説明】
【００９１】
１…電子ペン
２…パーソナルコンピュータ
２１…入力手段
２２…インターフェイス
２４…処理手段
２４１…表示画像設定手段
２４２…ドットパターン割当手段
２４３…印刷指示手段
２５…記憶手段
２６…表示手段
２７…送信手段
３…プリンター
４…記入用紙
４１…記入エリア
４２〜４７，４９…機能エリア
４８…送信エリア
５…広告表示装置
５１…インターフェイス
５２…第１の通信手段
５３…第２の通信手段
５４…処理手段
５５…記憶手段
５６…表示手段
５７…送信手段
５８…第３の通信手段
６…スタンド
７…プリンター
８…サーバ
【図２】
2014021689.tif 000003
【図３】
2014021689.tif 000004
【図４】
2014021689.tif 000005
【図５】
2014021689.tif 000006
【図６】
2014021689.tif 000007
【図１０】
2014021689.tif 000008
【図１】
2014021689.tif 000009
【図７】
2014021689.tif 000010
【図８】
2014021689.tif 000011
【図９】
2014021689.tif 000012